(57)【要約】      （修正有）【課題】微風や微力などで容易に自然と長時間シーソー揺動して人目を引きつけ、広告宣伝や商品の販売促進などにも利用可能な揺動置物を提供する。【解決手段】シーソー揺動する揺動基体の下面に、ワイヤー又は棒状体からなる凸円弧状体を取付けて、前後方向のシーソー揺動を容易にした構造であり、揺動基体の上に、広告宣伝用の幟や旗などの販売促進用の手段を立てたり販売品を置いたりすると、微風や微力を受けただけで容易に自然とシーソー揺動して人目を引きつけるので、広告宣伝や販売促進などに有効である。凸円弧状体はワイヤーや棒状体からなるため目立ちにくく、商品価値を損なう恐れはない。構成がシンプルで安価に実現できる。棒状体としては、細い金属棒体が適している。【選択図】図１
0003123966.tif 000002
【実用新案登録請求の範囲】
【請求項１】
シーソー揺動する揺動基体の下面に、ワイヤー又は棒状体からなる凸円弧状体を取付けて、前後方向のシーソー揺動を容易にしたことを特徴とする揺動置物。
【請求項２】
前記の揺動基体は、幅寸法より前後方向の全長が長く、揺動支点に対し前後両側に１以上の荷重物体を配設して互いにバランスさせ、シーソー揺動を容易にしたことを特徴とする請求項１に記載の揺動置物。
【請求項３】
前記の荷重物体は、地域の特産品やみやげ品、一般販売品又は展示若しくは広告宣伝対象の製品又は広告宣伝用の表示手段であることを特徴とする請求項１または請求項２に記載の揺動置物。
【請求項４】
前記のワイヤー又は棒状体からなる凸円弧状体が、揺動基体の幅方向の少なくとも左右２本配設されており、しかも安定性を増すために、外側２本の凸円弧状体は揺動基体の幅方向に多少開いていることを特徴とする請求項１、請求項２または請求項３に記載の揺動置物。
【請求項５】
前記のワイヤー又は棒状体が揺動基体を上向きに貫通して、荷重物体の支持手段となっていることを特徴とする請求項１から請求項４までのいずれかの項に記載の揺動置物。
【請求項６】
前記揺動基体の平面形状は、サーフボード又は舟のように長円状ないし流線型であることを特徴とする請求項１から請求項５までのいずれかの項に記載の揺動置物。
【請求項７】
揺動基体の揺動支点に対し片側に、風を受けやすいように、他の荷重物体より高く、又は受風面積の大きな物体を立ててあることを特徴とする請求項１から請求項６までのいずれかの項に記載の揺動置物。
【考案の詳細な説明】
【技術分野】
【０００１】
本考案は、微風や微力、振動などで容易にかつ自然に長時間シーソー揺動して、人目を引きつけることによって、ただの置物に留まらず、広告宣伝や商品の販売促進などにも利用可能な揺動置物に関する。
【背景技術】
【０００２】
近年のように物資が豊富になって生活が豊かになると、製品の販売にも色々と工夫が必要で、各種のアイディアが提案されている。本考案の考案者は、展示販売する製品や販売促進のための幟や旗などが人目につきやすいように、常に容易に揺動する置物に着目した。
【０００３】
揺動手段としてはロッキングチェアのようなシーソー揺動が適していると考え、同様に揺動する置物や広告宣伝手段を検索したが、ロッキング揺動する装置としては、実用新案登録第３０８１０９２号のような揺動式の子供用いすしか見当たらない。この子供用いすは、子供用いすをテーブル用の高い位置と勉学用の低い位置と遊戯用の揺動いすに使い分けられるようにして使用価値を向上すると共にその保管収納を容易にするもので、円弧状の上部扞を有する子供用いすを揺動いすとして使用する場合は、上下反転させて円弧状の上部扞を接地させた状態で前後に揺すって揺動させるようになっている。
【特許文献１】実用新案登録第３０８１０９２
【考案の開示】
【考案が解決しようとする課題】
【０００４】
しかしながら、このような構造は、子供用いすの所定の位置に子供が座って人力で前後に揺することが必要なため、サイズが大き過ぎると共に、置物や広告宣伝手段としての使用には適しない。本考案者は、微風や微力でも容易に自然と揺動して、人目を引きつけることによって、広告宣伝手段や販売促進にも利用したり、みやげ品などとしての付加価値を高めることを目的とするものであるから、人力で揺動させる構造は適しない。
【０００５】
本考案の技術的課題は、このような問題に着目し、微風や微力でも容易に自然とシーソー揺動して、人目を引きつけることによって、広告宣伝手段や販売促進にも有効利用できたり、みやげ品や一般販売品なの付加価値を高めることにある。
【課題を解決するための手段】
【０００６】
本考案の技術的課題は次のような手段によって解決される。請求項１は、シーソー揺動する揺動基体の下面に、ワイヤー又は棒状体からなる凸円弧状体を取付けて、前後方向のシーソー揺動を容易にしたことを特徴とする揺動置物である。このように、シーソー揺動する揺動基体の下面に、ワイヤーや棒状体からなる凸円弧状体を下向きに取付けて、前後方向に不安定でシーソー揺動を容易にした構造であるため、揺動基体の上に、広告宣伝用の幟や旗などのような販売促進用の手段を立てたり販売品を置いたりすると、微風や微力を受けただけで容易に自然とシーソー揺動して人目を引きつけるので、広告宣伝や販売促進などに有効である。また、揺動基体の上にみやげ品などを設置しセットにすると、微風や微力でも容易にシーソー揺動してみやげ品が目立ち、かつ趣が有り、みやげ品としての付加価値が高まる。凸円弧状体はワイヤーや棒状体からなるため、目立ちにくく、商品価値を損なう恐れはない。しかも構成がシンプルで安価に実現できる。なお、棒状体としては、細い金属棒体が適している。
【０００７】
請求項２は、前記の揺動基体は、幅寸法より前後方向の全長が長く、揺動支点に対し前後両側に１以上の荷重物体を配設して互いにバランスさせ、シーソー揺動を容易にしたことを特徴とする請求項１に記載の揺動置物である。このように、前記の揺動基体は、幅寸法より前後方向の全長が長いため、中央の支点から両端までの寸法も長く、シーソー揺動を起こさせるのに適している。また、揺動支点に対し前後両側に１以上の荷重物体を配設して互いにバランスさせるので、支点に対しいずれか片側の荷重物体に微風が当たったり、微力が作用するだけで容易に自然とシーソー揺動を起こすことができる。
【０００８】
請求項３は、前記の荷重物体が、地域の特産品やみやげ品、一般販売品又は展示若しくは広告宣伝対象の製品又は広告宣伝用の表示手段であることを特徴とする請求項１または請求項２に記載の揺動置物である。このように、前記の荷重物体が地域の特産品やみやげ品、一般販売品であると、地域の特産品やみやげ品、一般販売品が揺動基体上でシーソー揺動することによって人目を引き、付加価値が高まる。また、展示又は広告宣伝対象の製品の場合も、シーソー揺動によって人目を引き目立つため、展示や広告宣伝の効果が高まる。広告宣伝用の表示手段を立てたりすると、微風が当たりやすく、シーソー揺動が自然と起こり、しかも広告宣伝用の表示手段がシーソー揺動することによって目立つため、広告宣伝目的の手段としての効果が高まる。
【０００９】
請求項４は、前記のワイヤー又は棒状体からなる凸円弧状体が、揺動基体の幅方向の少なくとも左右２本配設されており、しかも安定性を増すために、外側２本の凸円弧状体は揺動基体の幅方向に多少開いていることを特徴とする請求項１、請求項２または請求項３に記載の揺動置物である。このように、前記のワイヤー又は棒状体からなる凸円弧状体が、揺動基体の幅方向の少なくとも左右２本配設されているので、幅方向の安定性が増し、倒れにくい。また、外側２本の凸円弧状体は揺動基体の幅方向に多少開いているため、幅方向の安定性が更に増し、転倒の恐れがより少なくなる。
【００１０】
請求項５は、前記のワイヤー又は棒状体が揺動基体を上向きに貫通して、荷重物体の支持手段となっていることを特徴とする請求項１から請求項４までのいずれかの項に記載の揺動置物である。このように、前記のワイヤー又は棒状体が揺動基体を上向きに貫通して、荷重物体の支持手段となっているため、揺動基体の上に荷重物体を容易に取付け設置できる。したがって、特別な取付け手段を必要としない。また、ワイヤー又は棒状体は細くて目立たないので、イルカや鳥類などの荷重物体が宙に浮いているように表現できる。
【００１１】
請求項６は、前記揺動基体の少なくとも前後両端の平面形状が、サーフボード又は舟のように長円状ないし流線型であることを特徴とする請求項１から請求項５までのいずれかの項に記載の揺動置物である。このように、前記揺動基体の少なくとも前後両端の平面形状が、サーフボードや舟のように長円状ないし流線型であるため、揺動基板がシーソー揺動したときの動きが、ちょうどサーフボードや舟が波で揺れている様子をイメージでき、趣が出る。
【００１２】
請求項７は、揺動基体の揺動支点に対し片側に、風を受けやすいように、他の荷重物体より高く、又は受風面積の大きな物体を立ててあることを特徴とする請求項１から請求項６までのいずれかの項に記載の揺動置物である。このように、揺動基体の揺動支点に対し片側に、風を受けやすいように、他の荷重物体より高く、又は受風面積の大きな物体を立ててあるため、揺動支点に対し片側だけが風を受けて不安定となるため、揺動基体が容易に自然とシーソー揺動することになる。したがって、冷暖房用の微風や人や荷物が通過した際に発生する微風などでもシーソー揺動することになり、シーソー揺動させるために特別の手段を必要としない。
【考案の効果】
【００１３】
請求項１のように、シーソー揺動する揺動基体の下面に、ワイヤーや棒状体からなる凸円弧状体を下向きに取付けて、前後方向に不安定でシーソー揺動を容易にした構造であるため、揺動基体の上に、広告宣伝用の幟や旗などのような販売促進用の手段を立てたり販売品を置いたりすると、微風や微力を受けただけで容易に自然とシーソー揺動して人目を引きつけるので、広告宣伝や販売促進などに有効である。また、揺動基体の上にみやげ品などを設置しセットにすると、微風や微力でも容易にシーソー揺動してみやげ品が目立ち、かつ趣が有り、みやげ品としての付加価値が高まる。凸円弧状体はワイヤーや棒状体からなるため、目立ちにくく、商品価値を損なう恐れはない。しかも構成がシンプルで安価に実現できる。
【００１４】
請求項２のように、前記の揺動基体は、幅寸法より前後方向の全長が長いため、中央の支点から両端までの寸法も長く、シーソー揺動を起こさせるのに適している。また、揺動支点に対し前後両側に１以上の荷重物体を配設して互いにバランスさせるので、支点に対しいずれか片側の荷重物体に微風が当たったり、微力が作用するだけで容易に自然とシーソー揺動を起こすことができる。
【００１５】
請求項３のように、前記の荷重物体が地域の特産品やみやげ品、一般販売品であると、地域の特産品やみやげ品、一般販売品が揺動基体上でシーソー揺動することによって人目を引き、付加価値が高まる。また、展示又は広告宣伝対象の製品の場合も、シーソー揺動によって人目を引き目立つため、展示や広告宣伝の効果が高まる。広告宣伝用の表示手段を立てたりすると、微風が当たりやすく、シーソー揺動が自然と起こり、しかも広告宣伝用の表示手段がシーソー揺動することによって目立つため、広告宣伝目的の手段としての効果が高まる。
【００１６】
請求項４のように、前記のワイヤー又は棒状体からなる凸円弧状体が、揺動基体の幅方向の少なくとも左右２本配設されているので、幅方向の安定性が増し、倒れにくい。また、外側２本の凸円弧状体は揺動基体の幅方向に多少開いているため、幅方向の安定性が更に増し、転倒の恐れがより少なくなる。
【００１７】
請求項５のように、前記のワイヤー又は棒状体が揺動基体を上向きに貫通して、荷重物体の支持手段となっているため、揺動基体の上に荷重物体を容易に取付け設置できる。したがって、特別な取付け手段を必要としない。また、ワイヤー又は棒状体は細くて目立たないので、イルカや鳥類などの荷重物体が宙に浮いているように表現できる。
【００１８】
請求項６のように、前記揺動基体の少なくとも前後両端の平面形状が、サーフボードや舟のように長円状ないし流線型であるため、揺動基板がシーソー揺動したときの動きが、ちょうどサーフボードや舟が波で揺れている様子をイメージでき、趣が出る。
【００１９】
請求項７のように、揺動基体の揺動支点に対し片側に、風を受けやすいように、他の荷重物体より高く、又は受風面積の大きな物体を立ててあるため、揺動支点に対し片側だけが風を受けて不安定となるため、揺動基体が容易に自然とシーソー揺動することになる。したがって、冷暖房用の微風や人や荷物が通過した際に発生する微風などでもシーソー揺動することになり、シーソー揺動させるために特別の手段を必要としない。
【考案を実施するための最良の形態】
【００２０】
次に本考案による揺動置物が実際上どのように具体化されるか実施形態を説明する。図１は本考案による揺動置物を上側から見た斜視図であり、前後方向に長い揺動基板１の上に、荷重物体として椰子の木２とイルカの模型３が立ててあり、両者の間にシーサー（獅子）の模型４、５が設置されている。揺動基板１の下側には、揺動基板１の幅方向の両端寄りに、ワイヤーを曲げて形成した下向きに凸型の円弧状体６、７が取付けてある。凸円弧状体６、７の取付け状態を揺動基板１の下側から見ると図２のようになる。すなわち、手前側には、前後方向に延びた凸円弧状体６が取付けてあり、後方には、前後方向に延びた凸円弧状体７が取付けてある。
【００２１】
図３は側面図であり、左右のシーサー模型４と５とは間隔をおいて離してあり、左側のシーサー模型４は揺動支点Ｐより左側に位置し、右側のシーサー模型５は揺動支点Ｐより右側に位置している。したがって、凸円弧状体６、７が平坦部上に載置されていると、矢印ａ１、ａ２で示す前後方向には不安定なため、揺動支点Ｐを中心にして揺動基板１が、矢印ａ１、ａ２で示す前後方向に容易にシーソー揺動する。なお、揺動基板１がヨットやサーフボードと仮定した場合、８は舵である。
【００２２】
図４は揺動基板１の先端側から見た正面図で、左側の凸円弧状体７は揺動基板１の左側の端部寄りに取付けてあり、右側の凸円弧状体６は揺動基板１の右側の端部寄りに取付けてある。したがって、揺動基板１はその幅方向に転倒しないように、安定性がよくなっている。しかも、凸円弧状体６と７は、ハの字状に多少開いているため、揺動基板１の幅方向の安定性がより向上する構造となっている。正面図に現れている揺動基板１の幅Ｗより、図３の側面図に現れている揺動基板１の全長Ｌが長いため、揺動基板１のシーソー揺動に適している。なお、全長Ｌの２分の１の位置に揺動支点Ｐが来るように、凸円弧状体６、７を取付けることは言うまでもない。
【００２３】
図５は平面図であり、揺動基板１はサーフボードやカヤック、カヌー、ヨットなどの舟のように長円状ないし流線型になっている。つまり、先端１ａも後端１ｂも長円状又は流線型をしている。そして、先端１ａ寄りに椰子の木２が立っており、後端１ｂ寄りにイルカの模型３が立ててある。図６は底面図であり、ワイヤー製の２本の凸円弧状体６と７が、揺動基板１の幅方向に間隔をおいて、前後方向に向けて取付けてある。なお、平面形状を、沖縄特有の漁舟であるサバニのように先端を尖らせ、後端は前後方向に対し直角状にすることもできる。なお、椰子の木２やイルカの模型３、シーサー模型４、５などの荷重物体は、ほぼ２分のＷの位置に載置することが、幅Ｗ方向の安定性を向上させて転倒を防ぐ上で望ましい。
【００２４】
以上のように、揺動基板１の底面に、幅方向に間隔をおいて、ワイヤーや棒状体でできた２本の凸円弧状体６、７が前後方向に取付けてある。そして、図３の揺動支点Ｐに対し左側には荷重物体となる椰子の木２とシーサー模型４を設置し、右側には荷重物体となるイルカの模型３とシーサー模型５を設置してあるため、丁度シーソーの両端に荷重物体となる人が乗っている状態となる。その結果、いずれかの荷重物体に微風や微力が作用しただけで、揺動支点Ｐを支点にして、揺動基板１が容易に自然とシーソー揺動を繰り返す。シーソー揺動をより円滑にするために、揺動支点Ｐに対する前後両側の荷重物体２、４と荷重物体３、５とが互いにバランスするように、重量を設定してあることは言うまでもない。
【００２５】
凸円弧状体６、７としては、小型の揺動置物の場合は、ピアノ線などのようなワイヤーが目立ち難いので好適である。大型の揺動置物の場合は、鉄筋などのような棒状体でも利用できる。凸円弧状体６、７は、揺動基板１の底面の幅方向の両端寄りに１本ずつ、計２本有れば足りるが、これらと平行にさらに１本以上設けることもできる。又は１本のワイヤー又は棒状体を平面上でジグザグ状に曲げ、これを、側面から見た場合に凸円弧状となるように湾曲させることによっても、転倒することなしにシーソー揺動させることができる。
【００２６】
図示例では、荷重物体として、椰子の木２とイルカの模型３を立ててあるが、椰子の木の葉は面積が広いので、微風を受けて揺動基板１をシーソー揺動させるのに適している。また、椰子の木２やイルカ３は観光地をイメージさせ、見る者が癒されるという効果もある。シーサーの模型４、５は、沖縄らしさをイメージさせるためであって、沖縄特産のゴーヤーやパイン、マンゴー、泡盛やもろみ酢などのボトル、守礼の門や首里城などの建造物などの模型でもよい。もちろん、他の観光地をイメージさせる特産品や地域ブランド品、みやげ品などであってもよい。もちろん、一般の販売品を置いたり、さらに本考案の揺動置物と一緒に販売することも可能である。揺動支点Ｐの片側の荷重物体としては、植物を立てて、その葉で微風を受けやすいようにするのが望ましい。ヨットやウインドサーフィンなどの帆の模型でもよい。なお、ボトルなども適している。
【００２７】
この揺動置物を、商品の販売促進などに利用する場合は、荷重物体しては、販売促進対象の商品を用いるとよい。あるいは、展示若しくは広告宣伝対象の製品でもよい。さらに、広告宣伝用の表示手段として幟や旗、立て看板などを立てると、微風を受けてシーソー揺動しやすいので好適である。任意の厚さの板を立てることもできる。
【００２８】
揺動基板１の上に荷重物体を取付けるために、ワイヤーや棒状体を利用することもできる。すなわち、図１、図４からも明らかなように、凸円弧状体６、７を形成するワイヤーが、揺動基板１の上側に貫通していて、椰子の木２とイルカの模型３を支持している。そのために、揺動基板１先端側の貫通ワイヤー６１、７１は、揺動基板１の上で１本にまとめられた状態で、椰子の木２の幹の中に挿入することによって、椰子の木２が立った状態に安定保持している。また、揺動基板１の後端側の貫通ワイヤー６２、７２は、揺動基板１の面から所定の高さ（シーサー模型４、５より上側）の位置で一本に合体させてまとめ、イルカの模型３を保持している。このワイヤー６２、７２は細くて目立たないので、イルカがちょうど跳び上がっているように見せるのに役立っている。
【００２９】
シーサー模型４と５は、揺動基板１の中央部寄りに配置してあるが、シーソー揺動をより円滑にするには、揺動基板１の前端１ａ寄りと後端１ｂ寄りに、互いにより離して配置することが好ましい。また、椰子の木２やイルカの模型３なども、前後両端１ａ、１ｂ寄りに配置することがシーソー揺動し易い。なお、揺動基板１に代えて、板状以外の揺動基体を用いることも可能である。例えば、下面を船底状に形成した揺動基体でもよい。
【産業上の利用可能性】
【００３０】
以上のように、本考案によると、サーフボード状や舟型のシーソー揺動する揺動基板の下面において、ワイヤーや細い棒状体からなる凸円弧状体を前後方向に向けて取付け、前後方向のシーソー揺動を容易にしてあるため、揺動基板の上に、販売促進や広告宣伝の対象となる商品を置いたり、観光地をイメージさせる特産品などを置くことによって、シーソー揺動と相まって、見る人を引きつける効果が増し、揺動置物としての商品価値も向上する。あるいは、広告宣伝用の表示手段として幟や旗、立て看板などを立てると、微風を受けてシーソー揺動しやすいので好適である。
【図面の簡単な説明】
【００３１】
【図１】本考案による揺動置物を上側から見た斜視図である。
【図２】本考案による揺動置物を下側から見た斜視図である。
【図３】本考案による揺動置物の側面図である。
【図４】本考案による揺動置物の揺動基板先端側から見た正面図である。
【図５】本考案による揺動置物の平面図である。
【図６】本考案による揺動置物の底面図である。
【符号の説明】
【００３２】
１  揺動基板
１ａ  揺動基板の先端  
１ｂ  揺動基板の後端  
２  椰子の木
３  イルカの模型
４・５  シーサーの模型
６・７  ワイヤー製の凸円弧状体
６１・７１  揺動基板の先端側の支持ワイヤー
６２・７２  揺動基板の後端側の支持ワイヤー
Ｐ  揺動支点
【図１】
0003123966.tif 000003
【図２】
0003123966.tif 000004
【図３】
0003123966.tif 000005
【図４】
0003123966.tif 000006
【図５】
0003123966.tif 000007
【図６】
0003123966.tif 000008